(57)【特許請求の範囲】
【請求項１】
音声ＩＦ信号の周波数が異なる複数の音声ＩＦ信号を識別する音声ＩＦ信号識別装置であって、
クロマ信号が存在しない期間の音声ＩＦ信号を抽出する抽出手段と、
該抽出手段からの音声ＩＦ信号をＦＭ検波するＦＭ検波器と、
一定周波数で発振する発振器とを備え、前記音声ＩＦ信号のＦＭ検波結果と前記発振器のＦＭ検波結果との比較結果に応じて複数の音声ＩＦ信号を識別するようにしたことを特徴とする音声ＩＦ信号識別装置。
【請求項２】
音声ＩＦ信号の周波数が異なる複数の音声ＩＦ信号を識別する音声ＩＦ信号識別装置であって、
クロマ信号が存在しない期間の音声ＩＦ信号を抽出する抽出手段と、
該抽出手段からの音声ＩＦ信号をＦＭ検波するＦＭ検波器と、
一定周波数で発振する発振器と、
前記音声ＩＦ信号のＦＭ検波結果をサンプルホールドする第１のサンプルホールド回路と、
前記発振器のＦＭ検波結果をサンプルホールドする第２のサンプルホールド回路とを備え、前記第１及び第２のサンプルホールド回路の出力電圧に応じて複数の音声ＩＦ信号を識別するようにしたことを特徴とする音声ＩＦ信号識別装置。
【発明の詳細な説明】
【０００１】
【発明の属する技術分野】
本発明は、ＴＶ受像機やＶＴＲなどに内蔵されＰＡＬ方式の音声ＩＦ信号の周波数を検波して識別する音声ＩＦ信号識別装置に関するもので、特にインターキャリア方式のビデオ検波器に使用して好適な音声ＩＦ信号識別装置に関する。
【０００２】
【従来の技術】
映像中間周波（以下ＶＩＦ）の検波方式にはインターキャリヤ方式（映像検波の際、映像ＩＦ信号と音声ＩＦ信号の混在したものを一緒に検波する方式）とスプリット方式（映像ＩＦ信号と音声ＩＦ信号をはじめに分離して、別々に検波する方式）があり、インターキャリヤの場合には、ＳＩＦキャリヤはビデオ検波出力に一緒に出力される。これをコンポジットビデオ信号と称す。このコンポジットビデオ信号に含まれるＳＩＦキャリヤは、ＦＭ変調がかかっている。このＦＭ変調がかかっているＳＩＦ信号をＦＭ検波することで音声が復調される。
【０００３】
ＰＡＬのＳＩＦキャリアにはさまざまな周波数が存在する。ＰＡＬ  Ｍシステム／Ｎシステムでは音声ＩＦ信号周波数は、ｆｓ＝４．５ＭＨｚであり、ＰＡＬ  Ｂシステム／Ｇシステムでは音声ＩＦ信号周波数は、ｆｓ＝５．５ＭＨｚであり、ＰＡＬ  Ｉシステムでは音声ＩＦ信号周波数は、ｆｓ＝６．０ＭＨｚであり、ＰＡＬ  Ｄシステム／Ｋシステムでは音声ＩＦ信号周波数は、Ｆｓ＝６．５ＭＨｚとなる。このＳＩＦ信号の識別は、ＴＶセットメーカーなどが手動で識別するのが一般的であった。
【０００４】
【発明が解決しようとする課題】
しかしながら、手動で行うのは手間がかかる。前記ＳＩＦ信号は周波数が異なるのでＦＭ検波を行い、識別することが考えられる。しかし、前述のインターキャリヤの場合には、コンポジットビデオ信号の中に混在するＳＩＦ信号をそのままＦＭ検波器に入力して判別しようとしても輝度信号やクロマ信号が妨害波となってしまうためにうまく判別することができない。
【０００５】
図２（ａ）は、インターキャリヤ方式で検波されたコンポジットビデオ信号の波形図である。コンポジットビデオ信号は、輝度信号（同期信号を構成する）とクロマ信号と音声ＩＦ信号とを含む。
【０００６】
【課題を解決するための手段】
本発明は、上述の課題を解決するために成されたもので、音声ＩＦ信号の周波数が異なる複数の音声ＩＦ信号を識別する音声ＩＦ信号識別装置であって、クロマ信号が存在しない期間の音声ＩＦ信号を抽出する抽出手段と、該抽出手段からの音声ＩＦ信号をＦＭ検波するＦＭ検波器と、一定周波数で発振する発振器とを備え、前記音声ＩＦ信号のＦＭ検波結果と前記発振器のＦＭ検波結果との比較結果に応じて複数の音声ＩＦ信号を識別するようにしたことを特徴とする。
【０００７】
【発明の実施の形態】
本発明の音声ＩＦ信号識別装置を図１を用いて説明する。
【０００８】
図１において、１はＰＡＬ方式のＴＶ放送を受信するアンテナ、２はアンテナ１からのＲＦ（ラジオ周波数）信号を増幅するＲＦ増幅器、３はＲＦ増幅器２からのＲＦ信号をＩＦ（中間周波数）信号に変換するとともにＩＦ信号を増幅し、さらにＩＦ信号のインターキャリヤ検波を行うＩＦ検波回路、４は４．０ＭＨＺで発振する発振器、５はＩＦ検波回路３からの輝度信号から水平同期信号を分離する同期分離回路、６は同期分離回路５から水平同期信号が印加されるとａ側に切り替わり、それ以外の期間はｂ側に切り替わるスイッチ、７はスイッチ６からの信号をＦＭ検波するＦＭ検波器、８はＦＭ検波器７で検波された発振器４の発振出力信号の検波結果をサンプルホールドする第１サンプルホールド回路、９はＦＭ検波器７で検波された水平同期信号期間のＳＩＦ信号の検波結果をサンプルホールドする第２サンプルホールド回路、１０乃至１３は第１サンプルホールド回路８の出力電圧を分圧し、ＦＭ検波電圧を識別する複数の基準電圧を作成する抵抗、１４乃至１６は抵抗１０乃至１３により作られた基準電圧と第２サンプルホールド回路９の出力電圧とをレベル比較するコンパレータ、１７乃至１９は到来しているＳＩＦ信号の種類を３ビットの「Ｈ」レベル、「Ｌ」レベルで導出する出力端子である。
【０００９】
図２（ａ）は、インターキャリヤ方式で検波されたコンポジットビデオ信号の波形図である。図２（ｂ）は図２（ａ）に含まれているＳＩＦ信号を示す。ＳＩＦ信号は、コンポジットビデオ信号中に連続して存在している。図２（ａ）から、その多くの期間が他の交流信号（クロマ信号、バースト信号、輝度信号等）と混在していることがわかる。この他の交流信号の影響でＳＩＦ信号のＦＭ検波が困難になっている。
【００１０】
そこで本発明では、他の交流信号の影響が最も少なく且つ検波期間の設定が容易な水平同期信号期間を利用して検波をおこなった。この期間は、図２（ａ）に示されるように直流成分である水平同期信号しか存在せず、他の交流信号は存在しない。又、水平同期信号は、既存の同期分離回路を使用して簡単に得られ、その検波期間を示すパルスを簡単に得ることができる。
尚、図１の実施例では水平同期信号期間を利用しているが、垂直同期信号期間でもよい。  図１の動作について説明する。
【００１１】
ＰＡＬ方式のＴＶ放送はアンテナ１で受信されＲＦ（ラジオ周波数）信号を増幅するＲＦ増幅器で増幅される。ＲＦ増幅器２からのＲＦ信号は、ＩＦ検波回路３でＩＦ（中間周波数）信号に変換されて、増幅される。そして、さらにＩＦ信号は、ＩＦ検波回路３でインターキャリヤ検波される。インターキャリヤ検波されたコンポジットビデオ信号は、スイッチ６の端子ａ、同期分離回路５に印加される。同期分離回路５は、図２（ｃ）に示すように水平同期信号を分離すると、スイッチ６と第２サンプルホールド回路９に印加する。すると、スイッチ６は、水平同期信号の発生期間中のみ端子ａ側に切り替わり図２（ｄ）のごときＳＩＦ信号がＦＭ検波器７に印加される。
【００１２】
図３はＦＭ検波器７の入力信号周波数と検波出力電圧の関係を示す特性図である。入力信号周波数が高くなると検波出力電圧が低くなる関係である。今、ＰＡＬ  Ｂシステム／ＧシステムのＳＩＦ信号が到来しており、その周波数がｆｓ＝５．５ＭＨｚであったとすると２．７Ｖの検波電圧が発生する。この２．７Ｖの検波電圧は、第２サンプルホールド回路９にホールドされる。ホールドされた２．７Ｖの検波電圧はコンパレータ１４乃至１６の負入力端子に印加される。
【００１３】
一方、ＦＭ検波器７には発振器４から４．０ＭＨＺのＦＭ信号が印加され、図３から解るように４．０Ｖの直流電圧が発生する。このため、ＦＭ検波器７の検波出力信号は、図２（ｅ）のように、水平同期信号期間は２．７Ｖとなり、それ以外の期間は４．０Ｖとなる。第１サンプルホールド回路８には図２（ｆ）のサンプリング用パルスが印加される。このため、第１サンプルホールド回路８は、４．０Ｖの直流電圧を抵抗１０乃至１３に印加する。
【００１４】
ＰＡＬ  Ｍシステム／ＮシステムのＳＩＦ（ｆｓ＝４．５ＭＨｚ）が印加された時は３．６５Ｖ、ＰＡＬ  Ｂシステム／ＧシステムのＳＩＦ（ｆｓ＝５．５ＭＨｚ）が印加された時は２．７Ｖであり、ＰＡＬ  ＩシステムのＳＩＦ（ｆｓ＝６．０ＭＨｚ）が印加されたときは２．２Ｖであり、ＰＡＬ  Ｄシステム／ＫシステムのＳＩＦ（ｆｓ＝６．５ＭＨｚ）が印加されたときは１．７Ｖである。
【００１５】
そこで、各ＳＩＦ検波電圧の中間値をコンパレータでの判別しきい値とした。例えば、３．１５Ｖ（入力信号周波数の５ＭＺに対応）をコンパレータ１４に印加することで、Ｍシステム／Ｎシステムとそれ以外のものとの判別ができる。同様に、２．４５Ｖと１．９５Ｖをコンパレータ１５、１６に供給する。
【００１６】
図３に示すＦＭ検波器の検波特性は、回路のバラツキなどに起因して必ずしも実線の特性にならない。そのため、コンパレータ１４乃至１６のしきい値を固定値にすると、入力信号値の変動に対応できない。そこで、本発明ではコンパレータ１４乃至１６のしきい値を相対値とした。すなわち、発振器４の出力信号を検波した電圧（４．０Ｖ）に基づいてコンパレータ１４乃至１６のしきい値を作成している。すると、ＦＭ検波器の検波電圧が変動すれば、しきい値も一緒に変動する。このため、相対的な検波電圧としきい値との関係は変わることがない。
【００１７】
前述の第２サンプルホールド回路９にホールドされた２．７Ｖの検波電圧はコンパレータ１４乃至１６の負入力端子に印加されている。その結果、出力端子１７乃至１９には「Ｈ、Ｌ、Ｌ」が発生し、Ｂシステム／Ｇシステムであることを識別する。
【００１８】
以下、同様に、各ＳＩＦ信号の周波数に応じて出力端子１７乃至１９には異なる３ビットのデジタルデータが得られる。
【００１９】
従って、図１の装置によればインターキャリヤ方式で検波されたコンポジットビデオ信号からＳＩＦ信号の種類を判別できる。
【００２０】
【発明の効果】
本発明によれば、インターキャリヤ方式で検波されたコンポジットビデオ信号からＳＩＦ信号の種類を自動的に判別できる。
【００２１】
又、本発明によれば、水平同期信号期間などのクロマ信号が存在しない期間にＦＭ検波をおこなっているので、周波数識別が容易に行える。
【００２２】
更に、本発明によれば、固定の発振器を使用して判別の基準電圧を作成しているので、相対的な検波電圧としきい値との関係は変わることがなく常に安定した判別が可能となる。
【図面の簡単な説明】
【図１】本発明の音声ＩＦ信号識別装置である。
【図２】本発明の説明に供するための波形図である。
【図３】本発明の説明に供するための特性図である。
【符号の説明】
【図１】
0003568396.tif 000002
【図２】
0003568396.tif 000003
【図３】
0003568396.tif 000004